(57)【要約】【課題】騒音の発生や耐久性の低下のない工作機械のカバー装置を提供する。【解決手段】カバー装置４０は、ワークを載置し、Ｘ軸方向に沿って移動可能な可動テーブル２の一方側、他方側にテレスコピックカバー４１、４２を有する。カバー４１は、可動テーブル２２の一方側に固定した外カバー体４１Ａと、一方側端部に配列した内カバー体４１Ｂとを含み、カバー４２は、可動テーブル２２の他方側に固定した外カバー体４２Ａと、他方側端部に配列した内カバー体４２Ｂとを含み、内カバー体４１Ａ，４１Ｂを連結部材４３で連結する。可動テーブル２２に小径係合部４６ａ及び大径係合部４６を有する段付きローラ４６を回転自在に支持し、両端部を中間テーブル１１に固定してＸ軸方向に張り渡した第１ワイヤー部材４７を小径係合部４６ａに係合し、両端部を可動テーブル２２に固定してＸ軸方向に張り渡した第２ワイヤー部材４８を大径係合部４６ｂに係合する。【選択図】図３
2013136105.tif 000002
【特許請求の範囲】
【請求項１】
ワークを載置し工作機械のベースフレーム上に所定の直線方向に沿って移動可能な工作機械のテーブルの、前記直線方向に沿った一方側に設けた一方側テレスコピックカバーと、
前記テーブルの前記直線方向に沿った他方側に設けた他方側テレスコピックカバーと、
を有し、
前記一方側及び前記他方側テレスコピックカバーは、
前記直線方向に沿って前記一方側及び前記他方側に互いに相対移動可能な複数のカバー体を、内外に重なり合いつつ組み合わせて伸縮可能に構成し、
前記一方側テレスコピックカバーの前記複数のカバー体は、
当該複数のカバー体のうち前記他方側端部に配列し、前記テーブルの前記一方側に固定した、第１カバー体と、
当該複数のカバー体のうち前記一方側端部に配列した、第２カバー体と、
を含み、
前記他方側テレスコピックカバーの前記複数のカバー体は、
当該複数のカバー体のうち前記一方側端部に配列し、前記テーブルの前記他方側に固定した、第３カバー体と、
当該複数のカバー体のうち前記他方側端部に配列した、第４カバー体と、
を含む、工作機械のテレスコピックカバー装置において、
両端部を前記ベースフレームにそれぞれ固定し、前記直線方向に沿って延設した第１被係合部材と、
両端部を前記第２カバー体及び前記第４カバー体にそれぞれ固定し、前記直線方向に沿って延設した第２被係合部材と、
前記第１被係合部材に係合する係合部を外周に備えた第１転動体と、
前記第２被係合部材に係合する係合部を外周に備え、前記第１転動体と同一軸心で回転するように当該第１転動体と一体的に設けた、第２転動体と、
一体的に回転する前記第１転動体及び前記第２転動体を回転可能に支持する、前記テーブルに設けた転動体支持部と、
前記直線方向に沿って延設し、前記一方側テレスコピックカバー及び前記他方側テレスコピックカバーを連結する連結部材と、
を備えることを特徴とする工作機械のテレスコピックカバー装置。
【請求項２】
請求項１記載の工作機械のテレスコピックカバー装置において、
前記第１被係合部材は、
両端部を前記ベースフレームにそれぞれ固定しつつ前記直線方向に沿って掛け渡した第１ワイヤー部材であり、
前記第２被係合部材は、
両端部を前記第２カバー体及び前記第４カバー体にそれぞれ固定しつつ前記直線方向に沿って掛け渡した第２ワイヤー部材であり、
前記第１転動体は、大径係合部と小径係合部とを備えた段付き形状の１つの共通ローラの前記小径係合部であり、
前記第２転動体は、前記段付き形状の前記１つの共通ローラの前記大径係合部である
ことを特徴とする工作機械のテレスコピックカバー装置。
【請求項３】
ワークを加工する工具を着脱可能に保持する主軸と、
前記主軸を回転駆動する主軸モータを保持し、上下動可能な主軸ヘッドと、
前記ワークを載置し、ベースフレーム上に所定の直線方向に沿って移動可能なテーブルと、
前記テーブルを、互いに直交するＸ軸方向及びＹ軸方向に移動するＸＹ軸移動装置と、
前記主軸ヘッドを、前記Ｘ軸方向及び前記Ｙ軸方向に直交するＺ軸方向に昇降移動するＺ軸移動装置と、
前記Ｘ軸方向又は前記Ｙ軸方向に沿って、前記テーブルの一方側及び他方側の両方に設けたテレスコピックカバー装置と、
を備え、
前記テレスコピックカバー装置は、
前記Ｘ軸方向又は前記Ｙ軸方向に沿って、前記テーブルの一方側に設けた一方側テレスコピックカバーと、
前記Ｘ軸方向又は前記Ｙ軸方向に沿って、前記テーブルの他方側に設けた他方側テレスコピックカバーと、
を有し、
前記一方側及び前記他方側テレスコピックカバーは、
前記Ｘ軸方向又は前記Ｙ軸方向に沿って前記一方側及び前記他方側に互いに相対移動可能な複数のカバー体を、内外に重なり合いつつ組み合わせて伸縮可能に構成し、
前記一方側テレスコピックカバーの前記複数のカバー体は、
当該複数のカバー体のうち前記他方側端部に配列し、前記テーブルの前記一方側に固定した、第１カバー体と、
当該複数のカバー体のうち前記一方側端部に配列した、第２カバー体と、
を含み、
前記他方側テレスコピックカバーの前記複数のカバー体は、
当該複数のカバー体のうち前記一方側端部に配列し、前記テーブルの前記他方側に固定した、第３カバー体と、
当該複数のカバー体のうち前記他方側端部に配列した、第４カバー体と、
を含む、工作機械において、
前記テレスコピックカバー装置は、
両端部を前記ベースフレームにそれぞれ固定し、前記Ｘ軸方向又は前記Ｙ軸方向に沿って延設した第１被係合部材と、
両端部を前記第２カバー体及び前記第４カバー体にそれぞれ固定し、前記Ｘ軸方向又は前記Ｙ軸方向に沿って延設した第２被係合部材と、
前記第１被係合部材に係合する係合部を外周に備えた第１転動体と、
前記第２被係合部材に係合する係合部を外周に備え、前記第１転動体と同一軸心で回転するように当該第１転動体と一体的に設けた、第２転動体と、
一体的に回転する前記第１転動体及び前記第２転動体を回転可能に支持する、前記テーブルに設けた転動体支持部と、
前記Ｘ軸方向又は前記Ｙ軸方向に沿って延設し、前記一方側テレスコピックカバー及び前記他方側テレスコピックカバーを連結する連結部材と、
を有することを特徴とする工作機械。
【発明の詳細な説明】
【技術分野】
【０００１】
本発明は、相対移動により伸縮可能な複数のカバー体を備えた工作機械のテレスコピックカバー装置、及び工作機械に係わり、特に、テレスコピックカバーの騒音の発生や耐久性の低下の防止に関する。
【背景技術】
【０００２】
工作機械は、ワークを載置したテーブルを介してワークをＸ方向とＹ方向に駆動し、コラムに支持した主軸ヘッドに装着した切削工具によりワークに切削加工を施す。このような工作機械では、テーブルの駆動機構を切削屑から保護するために、駆動機構の上側をテレスコピックカバーで覆っている。
【０００３】
従来、互いに相対移動可能な外カバー体及び内カバー体を含む複数のカバー体を内外に重なり合いつつ組み合わせて伸縮可能に構成したテレスコピックカバーがある（特許文献１の図７参照）。
【０００４】
この特許文献１のテレスコピックカバーは、Ｘ方向に沿って移動する可動テーブルに固定した外カバー体と、外カバー体内に配置した内カバー体とを備える。外カバー体のＸ軸方向外方の開口部の上端縁部には、内カバー体の上面と接触する硬質ゴム製のスクレーパを設け、内カバー体のＸ軸方向内方の側面両端部には、上方に突出する１対のクッションゴムと、内側に突出する１対の内側クッション材とを設け、側面中央部には、外側に突出する１つの外側クッション材を設ける。可動テーブルを案内する１対のガイドレールのＸ軸方向両端には、Ｘ軸方向外方に内カバー体のＸ軸方向外方の側面に向けてストッパを突出させたブラケットを固定する。
【０００５】
Ｘ軸方向一方側に設置した一方側テレスコピックカバーは、可動テーブルがＸ軸方向に沿って他方側に移動し、外カバー体が他方側に移動すると、内カバー体は、外カバー体のスクレーパとの摩擦によって同方向に移動するか、スクレーパが内カバー体の外側クッション材に接触して牽引することで同方向に移動し、内カバー体の一方側の側面がブラケットのストッパに接触すると移動を停止する。外カバー体は、牽引される内カバー体と共に、若しくは置き去り状態の内カバー体に対し他方側に移動を続け、可動テーブルがＸ軸方向の可動範囲の他方端まで移動し停止すると、外カバー体は、スクレーパが内カバー体の外側クッション材に接触した状態で移動を停止する。この状態で、テレスコピックカバーは、内外のカバー体が全体として伸張する。
【０００６】
逆に、その状態から可動テーブルが一方側に移動し、外カバー体が一方側に移動すると、内カバー体は、外カバー体のスクレーパとの摩擦によって同方向に移動するか、外カバー体の他方側の側面が内カバー体の他方側の側面の外側クッション材に接触して牽引することで同方向に移動し、内カバー体の一方側の側面の内側クッション材がブラケットに接触すると移動を停止する。外カバー体は、牽引される内カバー体と共に、若しくは置き去り状態の内カバー体に対し一方側に移動を続け、可動テーブルがＸ軸方向の可動範囲の一方端まで移動し停止すると、外カバー体は、他方側の側面が内カバー体の他方側の側面の外側クッション材に接触した状態で移動を停止する。この状態で、テレスコピックカバーは、内外のカバー体が全体として縮小する。
【先行技術文献】
【特許文献】
【０００７】
【特許文献１】特開２００７−５０５０１号公報
【発明の概要】
【発明が解決しようとする課題】
【０００８】
しかしながら、特許文献１のテレスコピックカバーのように、外カバー体が移動し隣接する内カバー体に接触することで、当該内カバー体を移動させたり、内カバー体がストッパ等で接触することで移動を停止させる構造では、接触時の衝撃で騒音や耐久性の低下が発生する。
【０００９】
本発明の目的は、騒音の発生や耐久性の低下を防止した工作機械のテレスコピックカバー装置、及びそのテレスコピックカバー装置を備えた工作機械を提供することにある。
【課題を解決するための手段】
【００１０】
上記目的を達成するために、第１の発明は、ワークを載置し工作機械のベースフレーム上に所定の直線方向に沿って移動可能な工作機械のテーブルの、前記直線方向に沿った一方側に設けた一方側テレスコピックカバーと、前記テーブルの前記直線方向に沿った他方側に設けた他方側テレスコピックカバーと、を有し、前記一方側及び前記他方側テレスコピックカバーは、前記直線方向に沿って前記一方側及び前記他方側に互いに相対移動可能な複数のカバー体を、内外に重なり合いつつ組み合わせて伸縮可能に構成し、前記一方側テレスコピックカバーの前記複数のカバー体は、当該複数のカバー体のうち前記他方側端部に配列し、前記テーブルの前記一方側に固定した、第１カバー体と、当該複数のカバー体のうち前記一方側端部に配列した、第２カバー体と、を含み、前記他方側テレスコピックカバーの前記複数のカバー体は、当該複数のカバー体のうち前記一方側端部に配列し、前記テーブルの前記他方側に固定した、第３カバー体と、当該複数のカバー体のうち前記他方側端部に配列した、第４カバー体と、を含む、工作機械のテレスコピックカバー装置において、両端部を前記ベースフレームにそれぞれ固定し、前記直線方向に沿って延設した第１被係合部材と、両端部を前記第２カバー体及び前記第４カバー体にそれぞれ固定し、前記直線方向に沿って延設した第２被係合部材と、前記第１被係合部材に係合する係合部を外周に備えた第１転動体と、前記第２被係合部材に係合する係合部を外周に備え、前記第１転動体と同一軸心で回転するように当該第１転動体と一体的に設けた、第２転動体と、一体的に回転する前記第１転動体及び前記第２転動体を回転可能に支持する、前記テーブルに設けた転動体支持部と、前記直線方向に沿って延設し、前記一方側テレスコピックカバー及び前記他方側テレスコピックカバーを連結する連結部材と、を備えることを特徴とする。
【００１１】
本願第１発明の工作機械のテレスコピックカバー装置は、テーブルの一方側に一方側テレスコピックカバーを備え、テーブルの他方側に他方側テレスコピックカバーを備える。各テレスコピックカバーは、複数のカバー体を、内外に重なり合いつつ組み合わせて伸縮可能に構成している。一方側テレスコピックカバーの複数のカバー体は、他方側端部に第１カバー体を備え、一方側端部に第２カバー体を備えている。他方側テレスコピックカバーの複数のカバー体は、他方側端部に第４カバー体を備え、一方側端部に第３カバー体を備えている。
【００１２】
テーブルは転動体支持部を備えており、転動体支持部は一体的に回転する第１転動体及び第２転動体を回転可能に支持する。工作機械でのワーク加工時にテーブルがベースフレームに対し直線方向一方側や他方側に移動すると、ベースフレームに両端部を固定した第１被係合部材に対して外周の係合部が係合する第１転動体が、回転する。第１転動体が回転すると、一体的に設けた第２転動体が回転する。第２転動体の外周に設けた係合部は、両端部を第２カバー体及び第４カバー体に固定した第２被係合部材に係合する。
【００１３】
テーブルのある方向への移動に伴う上記第１転動体の回転により第２転動体が同じ向きに回転し、第２被係合部材を介して第２カバー体及び第４カバー体が同じ向きに移動する。第１転動体の上記係合部での第１被係合部材との係合態様と、第２転動体の上記係合部での第２被係合部材との係合態様とを異なる態様とすることで、１回転あたり、第１転動体が第１被係合部材に係合する係合距離よりも、第２転動体が第２被係合部材に係合する係合距離を大きくすることが可能である。テーブルがある方向へ移動し、第２カバー体及び第４カバー体が同じ向きに移動するとき、テーブルの移動量が第２カバー体及び第４カバー体の移動量よりも大きくなり、テーブルに対し、第２カバー体や第４カバー体が相対移動する。
【００１４】
テーブルの一方側には一方側テレスコピックカバーの第１カバー体を固定している。例えばテーブルが直線方向に沿った一方側に移動し第１カバー体が当該一方側に移動するとき、第２カバー体の一方側への移動量がテーブル及び第１カバー体の一方側への移動量よりも小さくなり、第２カバー体が第１カバー体に対し相対的に他方側へと移動する。一方側テレスコピックカバーにおいて、第１カバー体及び第２カバー体を含む複数のカバー体全体の直線方向に沿った寸法が小さくなる（複数のカバー体が全体として縮小する）。テーブルの他方側には他方側テレスコピックカバーの第３カバー体を固定しており、一方側テレスコピックカバーと他方側テレスコピックカバーとは連結部材で連結している。テーブルが直線方向に沿った一方側に移動し第３カバー体が当該一方側に移動するとき、第４カバー体の一方側への移動量がテーブル及び第３カバー体の一方側への移動量よりも小さくなり、第４カバー体が第３カバー体に対し相対的に他方側へと移動する。他方側テレスコピックカバーにおいて、第３カバー体及び第４カバー体を含む複数のカバー体全体の直線方向に沿った寸法が大きくなる（複数のカバー体が全体として伸長する）。
【００１５】
例えばテーブルが直線方向に沿った他方側に移動し第１カバー体が当該他方側に移動するとき、第２カバー体の他方側への移動量がテーブル及び第１カバー体の他方側への移動量よりも小さくなり、第２カバー体が第１カバー体に対し相対的に一方側へと移動する。一方側テレスコピックカバーにおいて、第１カバー体及び第２カバー体を含む複数のカバー体全体の直線方向に沿った寸法が大きくなる（複数のカバー体が全体として伸長する）。テーブルが直線方向に沿った他方側に移動し第３カバー体が当該他方側に移動するとき、第４カバー体の他方側への移動量がテーブル及び第３カバー体の他方側への移動量よりも小さくなり、第４カバー体が第３カバー体に対し相対的に一方側へと移動する。他方側テレスコピックカバーにおいて、第３カバー体及び第４カバー体を含む複数のカバー体全体の直線方向に沿った寸法が小さくなる（複数のカバー体が全体として縮小する）。
【００１６】
本願第１発明は、一体的に回転する第１転動体及び第２転動体の第１被係合部材及び第２被係合部材との係合を用いて、各テレスコピックカバーにおける複数のカバー体の全体寸法を縮小・伸長させる。これにより、１つのカバー体が移動し隣接する別のカバー体に接触することで当該別のカバー体を移動させる構造のように、接触時に騒音が発生したり接触により耐久性が低下することがない。
【００１７】
第２の発明は、上記第１発明において、前記第１被係合部材は、両端部を前記ベースフレームにそれぞれ固定しつつ前記直線方向に沿って掛け渡した第１ワイヤー部材であり、前記第２被係合部材は、両端部を前記第２カバー体及び前記第４カバー体にそれぞれ固定しつつ前記直線方向に沿って掛け渡した第２ワイヤー部材であり、前記第１転動体は、大径係合部と小径係合部とを備えた段付き形状の１つの共通ローラの前記小径係合部であり前記第２転動体は、前記段付き形状の前記１つの共通ローラの前記大径係合部であることを特徴とする。
【００１８】
本願第２発明のテレスコピックカバー装置では、１つの共通ローラが、大径係合部と小径係合部とを備えている。共通ローラの１回転あたり、小径係合部が第１ワイヤー部材に係合する係合距離よりも、大径係合部が第２ワイヤー部材に係合する係合距離が大きくなる。テーブル及び第１カバー及び第３カバーがある方向へ移動し、第２カバー体及び第４カバー体が同じ向きに移動するとき、第１カバー及び第３カバーの移動量が第２カバー体及び第４カバー体の移動量よりも大きくなり、第１カバー及び第３カバーに対し、第２カバー体や第４カバー体が相対移動する。
【００１９】
テーブルが直線方向に沿った一方側に移動するとき、第２カバー体が第１カバー体に対し相対的に他方側へと移動し、一方側テレスコピックカバーの第１カバー体及び第２カバー体を含む複数のカバー体が全体として縮小する。第４カバー体が第３カバー体に対し相対的に他方側へと移動し、他方側テレスコピックカバーの第３カバー体及び第４カバー体を含む複数のカバー体が全体として伸長する。
【００２０】
テーブルが直線方向に沿った他方側に移動するとき、第２カバー体が第１カバー体に対し相対的に一方側へと移動し、一方側テレスコピックカバーの第１カバー体及び第２カバー体を含む複数のカバー体が全体として伸長する。第４カバー体が第３カバー体に対し相対的に一方側へと移動し、他方側テレスコピックカバーの第３カバー体及び第４カバー体を含む複数のカバー体が全体として縮小する。
【００２１】
本願第２発明は、１つの共通ローラの小径係合部及び大径係合部と第１ワイヤー部材及び第２ワイヤー部材との係合を用いて、各テレスコピックカバーにおける複数のカバー体の全体寸法を縮小・伸長させる。
【００２２】
上記目的を達成するために、第３の発明は、ワークを加工する工具を着脱可能に保持する主軸と、前記主軸を回転駆動する主軸モータを保持し、上下動可能な主軸ヘッドと、前記ワークを載置し、ベースフレーム上に所定の直線方向に沿って移動可能なテーブルと、前記テーブルを、互いに直交するＸ軸方向及びＹ軸方向に移動するＸＹ軸移動装置と、前記主軸ヘッドを、前記Ｘ軸方向及び前記Ｙ軸方向に直交するＺ軸方向に昇降移動するＺ軸移動装置と、前記Ｘ軸方向又は前記Ｙ軸方向に沿って、前記テーブルの一方側及び他方側の両方に設けたテレスコピックカバー装置と、を備え、前記テレスコピックカバー装置は、前記Ｘ軸方向又は前記Ｙ軸方向に沿って、前記テーブルの一方側に設けた一方側テレスコピックカバーと、前記Ｘ軸方向又は前記Ｙ軸方向に沿って、前記テーブルの他方側に設けた他方側テレスコピックカバーと、を有し、前記一方側及び前記他方側テレスコピックカバーは、前記Ｘ軸方向又は前記Ｙ軸方向に沿って前記一方側（右側）及び前記他方側（左側）に互いに相対移動可能な複数のカバー体を、内外に重なり合いつつ組み合わせて伸縮可能に構成し、前記一方側テレスコピックカバーの前記複数のカバー体は、当該複数のカバー体のうち前記他方側（左側）端部に配列し、前記テーブルの前記一方側に固定した、第１カバー体と、当該複数のカバー体のうち前記一方側端部に配列した、第２カバー体と、を含み、前記他方側テレスコピックカバーの前記複数のカバー体は、当該複数のカバー体のうち前記一方側端部に配列し、前記テーブルの前記他方側に固定した、第３カバー体と、当該複数のカバー体のうち前記他方側端部に配列した、第４カバー体と、を含む、工作機械において、前記テレスコピックカバー装置は、両端部を前記ベースフレームにそれぞれ固定し、前記Ｘ軸方向又は前記Ｙ軸方向に沿って延設した第１被係合部材と、両端部を前記第２カバー体及び前記第４カバー体にそれぞれ固定し、前記Ｘ軸方向又は前記Ｙ軸方向に沿って延設した第２被係合部材と、前記第１被係合部材に係合する係合部を外周に備えた第１転動体と、前記第２被係合部材に係合する係合部を外周に備え、前記第１転動体と同一軸心で回転するように当該第１転動体と一体的に設けた、第２転動体と、一体的に回転する前記第１転動体及び前記第２転動体を回転可能に支持する、前記テーブルに設けた転動体支持部と、前記Ｘ軸方向又は前記Ｙ軸方向に沿って延設し、前記一方側テレスコピックカバー及び前記他方側テレスコピックカバーを連結する連結部材と、を有することを特徴とする。
【００２３】
本願第３発明の工作機械は、テーブルと、テレスコピックカバー装置とを備える。テレスコピックカバー装置は、ＸＹ軸移動装置によりＸ軸方向及びＹ軸方向に移動するテーブルの一方側及び他方側の両方に、テレスコピックカバーを備える。各テレスコピックカバーは、複数のカバー体を、内外に重なり合いつつ組み合わせて伸縮可能に構成している。一方側テレスコピックカバーの複数のカバー体は、他方側端部に第１カバー体を備え、一方側端部に第２カバー体を備えている。他方側テレスコピックカバーの複数のカバー体は、他方側端部に第４カバー体を備え、一方側端部に第３カバー体を備えている。
【００２４】
テーブルは転動体支持部を備えており、転動体支持部は一体的に回転する第１転動体及び第２転動体を回転可能に支持する。ワーク加工時にテーブルがベースフレームに対し直線方向一方側や他方側に移動すると、ベースフレームに両端部を固定した第１被係合部材に対して外周の係合部が係合する第１転動体が、回転する。第１転動体が回転すると、一体的に設けた第２転動体が回転する。第２転動体の外周に設けた係合部は、両端部を第２カバー体及び第４カバー体に固定した第２被係合部材に係合する。
【００２５】
テーブルのある方向への移動に伴う上記第１転動体の回転により第２転動体が同じ向きに回転し、第２被係合部材を介して第２カバー体及び第４カバー体が同じ向きに移動する。第１転動体の上記係合部での第１被係合部材との係合態様と、第２転動体の上記係合部での第２被係合部材との係合態様とを異なる態様とすることで、１回転あたり、第１転動体が第１被係合部材に係合する係合距離よりも、第２転動体が第２被係合部材に係合する係合距離を大きくすることが可能である。テーブルがある方向へ移動し、第２カバー体及び第４カバー体が同じ向きに移動するとき、テーブルの移動量が第２カバー体及び第４カバー体の移動量よりも大きくなり、テーブルに対し、第２カバー体や第４カバー体が相対移動する。
【００２６】
テーブルの一方側には一方側テレスコピックカバーの第１カバー体を固定している。例えばテーブルが直線方向に沿った一方側に移動し第１カバー体が当該一方側に移動するとき、第２カバー体の一方側への移動量がテーブル及び第１カバー体の一方側への移動量よりも小さくなり、第２カバー体が第１カバー体に対し相対的に他方側へと移動する。一方側テレスコピックカバーにおいて、第１カバー体及び第２カバー体を含む複数のカバー体全体の直線方向に沿った寸法が小さくなる（複数のカバー体が全体として縮小する）。テーブルの他方側には他方側テレスコピックカバーの第３カバー体を固定しており、一方側テレスコピックカバーと他方側テレスコピックカバーとは連結部材で連結している。テーブルが直線方向に沿った一方側に移動し第３カバー体が当該一方側に移動するとき、第４カバー体の一方側への移動量がテーブル及び第３カバー体の一方側への移動量よりも小さくなり、第４カバー体が第３カバー体に対し相対的に他方側へと移動する。他方側テレスコピックカバーにおいて、第３カバー体及び第４カバー体を含む複数のカバー体全体の直線方向に沿った寸法が大きくなる（複数のカバー体が全体として伸長する）。
【００２７】
例えばテーブルが直線方向に沿った他方側に移動し第１カバー体が当該他方側に移動するとき、第２カバー体の他方側への移動量がテーブル及び第１カバー体の他方側への移動量よりも小さくなり、第２カバー体が第１カバー体に対し相対的に一方側へと移動する。一方側テレスコピックカバーにおいて、第１カバー体及び第２カバー体を含む複数のカバー体全体の直線方向に沿った寸法が大きくなる（複数のカバー体が全体として伸長する）。テーブルが直線方向に沿った他方側に移動し第３カバー体が当該他方側に移動するとき、第４カバー体の他方側への移動量がテーブル及び第３カバー体の他方側への移動量よりも小さくなり、第４カバー体が第３カバー体に対し相対的に一方側へと移動する。他方側テレスコピックカバーにおいて、第３カバー体及び第４カバー体を含む複数のカバー体全体の直線方向に沿った寸法が小さくなる（複数のカバー体が全体として縮小する）。
【００２８】
本願第３発明は、一体的に回転する第１転動体及び第２転動体の第１被係合部材及び第２被係合部材との係合を用いて、各テレスコピックカバーにおける複数のカバー体の全体寸法を縮小・伸長させる。これにより、１つのカバー体が移動し隣接する別のカバー体に接触することで当該別のカバー体を移動させる構造のように、接触時に騒音が発生したり接触により耐久性が低下することがない。
【発明の効果】
【００２９】
本発明によれば、テレスコピックカバー装置の騒音の発生や耐久性の低下の防止することができる。
【図面の簡単な説明】
【００３０】
【図１】本発明の工作機構の一実施形態の概略斜視図である。
【図２】工作機械の機械本体部の側面図である。
【図３】中間テーブル上に載置された可動テーブル及びテレスコピックカバー装置を後部側から見た斜視図である。
【図４】可動テーブル及びテレスコピックカバー装置の平面図である。
【図５】可動テーブル及びテレスコピックカバー装置の背面図である。
【図６】図５のＶＩ−ＶＩ線による水平断面図である。
【図７】中間テーブル上に載置された可動テーブル及びテレスコピックカバー装置をＸ軸方向駆動モータとは反対側から見た側面図、図４のＶＩＩｂ−ＶＩＩｂ線による横断面図、及びＸ軸方向駆動モータ側から見た側面図である。
【図８】テレスコピックカバー装置の動作を示す説明図である。
【発明を実施するための形態】
【００３１】
以下、本発明の一実施の形態を図面を参照しつつ説明する。
【００３２】
図１は、本発明の工作機械の一実施形態を示す斜視図である。本実施形態の工作機械１は、縦型マシニングセンタと称する工作機械である。工作機械１は、台座ベース２のＹ軸方向（前後方向）一方側とは反対の他方側（後側）に設けた機械本体部３と、台座ベース２の機械本体部３よりもＹ軸方向一方側（前側）に、Ｙ軸方向に移動可能に設けた中間テーブル１１（ベースフレーム）と、ワーク（図示略）を載置し、中間テーブル１１上にＸ軸方向（左右方向）に移動可能に設けた可動テーブル２２と、可動テーブル２２を中間テーブル１１を介してＹ軸方向に移動するＹ軸方向駆動機構５と、可動テーブル２２をＸ軸方向に移動するＸ軸方向駆動機構６と、可動テーブル２２に設けたテレスコピックカバー装置４０（図３参照）等を設けている。工作機械１の全体は、図示しない防塵カバーで覆われている。なお、Ｙ軸方向駆動機構５及びＸ軸方向駆動機構６は、各請求項記載のＸＹ軸移動装置として機能する。
【００３３】
機械本体部３は、図２に示すように、台座ベース２上に立設されたコラム３１と、ワーク（図示略）を加工する工具（図示略）を工具マガジン３２の工具ホルダ３３を介して着脱可能に保持する主軸３４と、主軸３４を回転可能に支持すると共に主軸３４を回転駆動する主軸モータ３５を保持する主軸ヘッド３６と、工具マガジン３２を支持しコラム３１に取り付けた支持フレーム３７と、コラム３１に内蔵した駆動機構を介して主軸ヘッド３６を上下方向（Ｚ軸方向）に昇降移動することで、主軸３４を上下動するＺ軸移動装置３８を設けている。
【００３４】
Ｙ軸方向駆動機構５は、台座ベース２上に設けたＹ軸方向に延びる１対のＹ軸方向ガイドレール１０と、台座ベース２のＹ軸方向他方側に固定したＹ軸方向駆動モータ１２と、Ｙ軸方向駆動モータ１２の出力軸１２ａにカップリング１４を介して連結したＹ軸方向に延びるＹ軸方向ボールネジ軸１３と、中間テーブル１１の下側に固着し且つＹ軸方向ボールネジ軸１３に外嵌したボールネジナット（図示略）等を設けている。中間テーブル１１は、１対のＹ軸方向ガイドレール１０に載置して、Ｙ軸方向に沿って移動自在に設置している。Ｙ軸方向駆動機構５は、Ｙ軸方向駆動モータ１２によりＹ軸方向ボールネジ軸１３を回転駆動し、ボールネジナットを介して中間テーブル１１をＹ軸方向ガイドレール１０に沿って案内しながら、中間テーブル１１をその上の可動テーブル２２とともに台座ベース２に対しＹ軸方向に沿った直線方向の一方側又は他方側に移動する。
【００３５】
Ｘ軸方向駆動機構６は、中間テーブル１１上に設けたＸ軸方向に延びる１対のＸ軸方向ガイドレール２１と、中間テーブル１１のＸ軸方向一方側に固定したＸ軸方向駆動モータ１７と、両端部を軸受部材１８，１９で回転可能に支持すると共にＸ軸方向一方側でカップリング（図示略）を介してＸ軸方向駆動モータ１７の出力軸に連結したＸ軸方向に延びるＸ軸方向ボールネジ軸１６と、中間テーブル１１の下側に固着し且つＸ軸方向ボールネジ軸１６に外嵌したボールネジナット（図示略）等を設けている。可動テーブル２２は、１対のＸ軸方向ガイドレール２１に載置して、Ｘ軸方向に移動自在に設置している。Ｘ軸方向駆動機構６は、Ｘ軸方向駆動モータ１７によりＸ軸方向ボールネジ軸１６を回転駆動し、ボールネジナットを介して可動テーブル２２をＸ軸方向ガイドレール２１に沿って案内しながら、可動テーブル２２を中間テーブル１１に対しＸ軸方向の直線方向に沿った一方側又は他方側に移動する。
工作機械１は、Ｙ軸方向駆動機構５及びＸ軸駆動機構６により中間テーブル１１及び可動テーブル２２を介してワークをＹ軸方向及びＸ軸方向に駆動し、そのワークに対し工具を取り付けた主軸３４を回転して、ワークに切削加工等の加工を施す。
【００３６】
図３〜図７を参照して、テレスコピックカバー装置４０を説明する。図３は、可動テーブル２２に設置したテレスコピックカバー装置４０をＹ軸方向他方側（後部側）から見た斜視図である。テレスコピックカバー装置４０は、Ｘ軸方向に沿って可動テーブル２２の一方側に設けた一方側テレスコピックカバー４１と、可動テーブル２２の他方側に設けた他方側テレスコピックカバー４２を有する。一方側テレスコピックカバー４１は、内外に重なり合いつつ組み合わせて相対移動することにより伸縮可能な外カバー体４１Ａ（第１カバー体）と内カバー体４１Ｂ（第２カバー体）を備えている。同様に、他方側テレスコピックカバー４２は、外カバー体４２Ａ（第３カバー体）と内カバー体４２Ｂ（第４カバー体）を備えている。
【００３７】
一方側テレスコピックカバー４１の２つのカバー体４１Ａ，４１Ｂのうち、外カバー体４１Ａは他方側端部（図３の右側端部）に配列し、内カバー体４１Ｂは一方側端部（図３の左側端部）に配列している。外カバー体４１Ａは、一方側面（左側面）及び下面が開放した矩形の平たい箱体である。外カバー体４１Ａは、図３及び図４に示すように、他方側端部の上面に設けた板状のフランジ４１ａを介して可動テーブル２２の一方側側面にネジ止め固定している。外カバー体４１Ａは可動テーブル２２とともにＸ軸方向に沿って一体に移動する。外カバー体４１ＡのＹ軸方向に沿った一方側及び他方側の側面（前後両側面）下端には、図７（ｃ）に示すように、内側に折れ曲がって内カバー体４１Ｂを摺動自在に支持し且つＸ軸方向に延びる細幅の支持フレーム４１Ａ１が一体に設けられている。
【００３８】
内カバー体４１Ｂは、他方側面（右側面）及び下面を開放した矩形の平たい箱体である。内カバー体４１Ｂは外カバー体４１Ａの内側にほぼ重なる断面寸法に形成されている。内カバー体４１ＢのＸ軸方向に沿った長さは、内カバー体４１Ｂを外カバー体４１Ａ内に収容した状態で、内カバー体４１Ｂの一方側面（左側面）が外カバー体４１Ａの一方側（左側）の開口より僅かに突出するように設定されている。内カバー体４１ＢのＹ軸方向一方側及び他方側の側面（前後両側面）下端には、内側に折れ曲がって外カバー体４１Ａの支持フレームに摺動自在に支持され且つＸ軸方向に延びる細幅の被支持フレーム４１Ｂ１（図７（ｃ）参照）が一体に設けられている。
【００３９】
同様に、他方側テレスコピックカバー４２の２つのカバー体４２Ａ，４２Ｂのうち、外カバー体４２Ａは一方側端部（図３の左側端部）に配列し、内カバー体４２Ｂは他方側端部（図３の右側端部）に配列している。外カバー体４２Ａは、他方側面（右側面）及び下面が開放した矩形の平たい箱体である。外カバー体４２Ａは、図４に示すように、一方側端部の上面に設けた板状のフランジ４２ａを介して可動テーブル２２の他方側側面（右側面）にネジ止め固定している。外カバー体４２Ａは可動テーブル２２とともにＸ軸方向に沿って一体に移動する。外カバー体４２Ａは、外カバー体４１Ａの支持フレーム４１Ａ１と同様の支持フレーム４２Ａ１（図７（ａ））が設けられている。
【００４０】
内カバー体４２Ｂは、内カバー体４１Ｂと同一の形状であり、内カバー４１Ｂの被支持フレーム４１Ｂ１と同様の被支持フレーム４２Ｂ１（図７（ａ）参照）が一体に設けられている。
【００４１】
テレスコピックカバー４１，４２の内カバー体４１Ｂ，４２Ｂは、図３及び図５に示すように、Ｘ軸方向に沿って延設した連結部材４３によって連結している。連結部材４３は、テレスコピックカバー４１，４２のＹ軸方向一方側の下側に配置したＸ軸方向に延びる連結フレーム４４と、連結フレーム４４の一方側及び他方側の両端部に設けたブラケット４５とを備えている。連結フレーム４４は、水平部４４ａ及び垂直部４４ｂを有する断面Ｌ字状の細長い板状に形成され、水平部４４ａを中間テーブル１１に摺動自在に支持されている。ブラケット４５は、Ｌ字状に折曲した垂直方向のフレームであり、連結フレーム４４の水平部４４ａ及び垂直部４４ｂに連設して一体に形成している。連結フレーム４４の一方側のブラケット４５は、内カバー体４１Ｂの一方側におけるＹ軸方向他方側（図３の前側）の角部に位置し、一方のフレーム片４５ａを内カバー体４１Ｂの一方側の側面（左側面）にネジ止めし、他方のフレーム片４５ｂを内カバー体４１ＢのＹ軸方向他方側の側面（前側面）にネジ止めして、連結フレーム４４の一方側端部を内カバー体４１Ｂに固定する。同様に、連結フレーム４４の他方側のブラケット４５は、内カバー体４２Ｂの他方側におけるＹ軸方向他方側（図３の前側）の角部に位置し、一方のフレーム片４５ａを内カバー体４２Ｂの他方側の側面（右側面）にネジ止めし、他方のフレーム片４５ｂを内カバー体４２ＢのＹ軸方向他方側の側面（前側面）にネジ止めして、連結フレームの他方側端部を内カバー体４２Ｂに固定する。内カバー体４１Ｂ，４２Ｂは、一方がＸ軸方向に沿って一方側に移動すれば、他方も一方側に同量だけ移動し、一方がＸ軸方向に沿って他方側に移動すれば、他方も他方側に同量だけ移動する。
【００４２】
テレスコピックカバー装置４０のかバー駆動機構は、図６及び図７（ａ）〜図７（ｃ）に示すように、可動テーブル２２のＹ軸方向他方側の側部に回転自在に設けられた段付きローラ４６（転動体、共通ローラ）と、段付きローラ４６に架け回して中間テーブル１１の両端部間に張り渡した第１ワイヤー部材４７（第１被係合部材）と、段付きローラ４６に架け回して連結部材４４の両端部間に張り渡した第２ワイヤー４８部材（第２被係合部材）等を設けている。中間テーブル１１のＸ軸方向略中央のＹ軸方向他方側の下部には、段付きローラ４６の軸４６ｃを回転自在に支持する支持ブロック４９（転動体支持部材）が設けられ、段付きローラ４６は支持ブロック４９を介して中間テーブル１１に回転自在に設置している。段付きローラ４６は、図６中の拡大図に示すように、第１ワイヤー部材４７が係合する軸方向外側の小径係合部４６ａ（第１転動体）と、第２ワイヤー部材４８が係合する軸方向内側の大径係合部４６ｂ（第２転動体）とを軸４６ｃと一体に形成している。
【００４３】
中間テーブル１１の両端部のＹ軸方向他方側の下部には、連結フレーム４４よりも外側に突出する１対のブラケット５１が設けられ、段付きローラ４６の小径係合部４６ａに１巻架け回した第１ワイヤー部材４７の両端部を１対のブラケット５１に取り付けている。第１ワイヤー部材４７には引っ張りバネ４７ａを介挿して張力を付与する。連結フレーム４４の水平部４４ａの両端部には１対のブラケット５２が設けられ、段付きローラ４６の大径係合部４６ｂに１巻架け回した第２ワイヤー部材４８の両端部を１対のブラケット５２に取り付けている。第２ワイヤー部材４８には引っ張りバネ４８ａを介挿して張力を付与する。
【００４４】
Ｘ軸駆動機構６による駆動で可動テーブル２２が外カバー体４１Ａ，４２ＡとともにＸ軸方向に沿って移動すると、中間テーブル１１に両端を固定した第１ワイヤー部材４７を小径係合部４６ａに架け回された段付きローラ４６は、第１ワイヤー部材４７によって回転駆動され、可動テーブル２２と同方向に移動する。
【００４５】
ここで、段付きローラ４６の小径係合部４６ａでの第１ワイヤー部材４７の係合態様と、大径係合部４６ｂでの第２ワイヤー４８の係合態様とを異なる態様とすることで、段付きローラ４６の１回転あたり、小径係合部４６ａが第１ワイヤー部材４７に係合する係合距離よりも、大径係合部４６ｂが第２ワイヤー部材４８に係合する係合距離を大きくすることが可能である。可動テーブル２２が移動し、内カバー体４１Ａ及び内カバー体４２Ａが同じ向きに移動するとき、可動テーブル２２の移動量が内カバー体４１Ｂ及び内カバー体４２Ｂの移動量よりも大きくなり、可動テーブル２２に対し、内カバー体４１Ｂ及び内カバー体４２Ｂが相対移動する。
【００４６】
例えば可動テーブル２２がＸ軸方向に沿った一方側に移動し内カバー体４１Ｂが当該一方側に移動するとき、内カバー体４１Ｂの一方側への移動量が可動テーブル２２及び外カバー体４１Ａの一方側への移動量よりも小さくなり、内カバー体４１Ｂが外カバー体４１Ａに対し相対的に他方側へと移動する。故に、一方側テレスコピックカバー４１において、外カバー体４１Ａ及び内カバー体４１Ｂを含む複数のカバー体全体のＸ軸方向に沿った寸法が小さくなる（複数のカバー体が全体として縮小する）。可動テーブル２２の他方側には他方側テレスコピックカバー４２の外カバー体４２Ａを固定しており、一方側テレスコピックカバー４１と他方側テレスコピックカバー４２とは連結部材４３で連結している。可動テーブル２２がＸ軸方向に沿った一方側に移動し外カバー体４２Ａが当該一方側に移動するとき、内カバー体４２Ｂの一方側への移動量がテーブル２２及び外カバー体４２Ａの一方側への移動量よりも小さくなり、内カバー体４２Ｂが外カバー体４２Ａに対し相対的に他方側へと移動する。他方側テレスコピックカバー４２において、外カバー体４２Ａ及び内カバー体４２Ｂを含む複数のカバー体全体のＸ軸方向に沿った寸法が大きくなる（複数のカバー体が全体として伸長する）。
【００４７】
図８を参照して、カバー装置４０の動作を説明する。図８（ａ）は、Ｘ軸駆動機構６により可動テーブル２２をＸ軸方向に沿った他方側へ駆動して、可動テーブル２２がＸ軸方向に沿った可動範囲の他方側端に位置した状態を示す。一方側テレスコピックカバー４１の内カバー体４１Ｂは、外カバー体４１Ａから最大長突出し、他方側テレスコピックカバー４２の内カバー体４２Ｂは、外カバー体４２Ａ内に収容されている。Ｘ軸駆動機構６による駆動で可動テーブル２２が一方側へ移動し、一方側テレスコピックカバー４１の内カバー体４１Ｂが当該一方側に移動すると、内カバー体４１Ｂの一方側への移動量が可動テーブル２２及び外カバー体４１Ａの一方側への移動量よりも小さくなり、内カバー体４１Ｂが外カバー体４１Ａに対し相対的に他方側へと移動する。可動テーブル２２の一方側への移動により、他方側テレスコピックカバー４２の内カバー体４２Ｂが当該一方側に移動すると、内カバー体４２Ｂの一方側への移動量が可動テーブル２２及び外カバー体４２Ａの一方側への移動量よりも小さくなり、内カバー体４２Ｂが外カバー体４２Ａに対し相対的に他方側へと移動する。このため、図８（ｂ）〜図８（ｄ）に示すように、可動テーブル２２が一方側へ移動するにつれて、一方側テレスコピックカバー４１の内カバー体４１Ｂは外カバー体４１Ａ内に徐々に後退し、他方側テレスコピックカバー４２の内カバー体４２Ｂは外カバー体４２Ａから徐々に突出する。可動テーブル２２がＸ軸方向の可動範囲の一方側端に位置すると、図８（ｅ）に示すように、一方側テレスコピックカバー４１の内カバー体４１Ｂは外カバー体４１Ａ内に収容され、他方側テレスコピックカバー４２の内カバー体４２Ｂは外カバー体４２Ａから最大長突出する。
【００４８】
逆に、図８（ｅ）の状態から、可動テーブル２２が他方側へ移動し、他方側テレスコピックカバー４２の内カバー体４２Ｂが当該他方側に移動すると、内カバー体４２Ｂの他方側への移動量が可動テーブル２２及び外カバー体４２Ａの他方側への移動量よりも小さくなり、内カバー体４２Ｂが外カバー体４２Ａに対し相対的に一方側へと移動する。可動テーブル２２の他方側への移動により、一方側テレスコピックカバー４１の内カバー体４１Ｂが当該他方側に移動すると、内カバー体４１Ｂの他方側への移動量が可動テーブル２２及び外カバー体４１Ａの一方側への移動量よりも小さくなり、内カバー体４１Ｂが外カバー体４１Ａに対し相対的に他方側へと移動する。そして、可動テーブル２２が他方側へ移動するにつれて、他方側テレスコピックカバー４２の内カバー体４２Ｂは外カバー体４２Ａ内に徐々に後退し、一方側テレスコピックカバー４１の内カバー体４１Ｂは外カバー体４１Ａから徐々に突出する。可動テーブル２２がＸ軸方向の可動範囲の他方側端に位置すると、図８（ａ）の状態に戻り、他方側テレスコピックカバー４２の内カバー体４２Ｂは外カバー体４２Ａ内に収容され、一方側テレスコピックカバー４１の内カバー体４１Ｂは外カバー体４１Ａから最大長突出する。
【００４９】
以上説明したように、本実施形態の工作機械１は、ワークを加工する工具を着脱可能に保持する主軸３４と、主軸３４を回転駆動する主軸モータ３５を保持し、上下動可能な主軸ヘッド３６と、ワークを載置し、中間テーブル１１上に所定のＸ軸方向に沿って移動可能な可動テーブル２２と、可動テーブル２２を、互いに直交するＸ軸方向及びＹ軸方向に移動するＸ軸方向駆動機構６及びＹ軸方向駆動機構５と、主軸ヘッド３５を、Ｘ軸方向及びＹ軸方向に直交するＺ軸方向に昇降移動するＺ軸移動装置３８と、Ｘ軸方向に沿って、可動テーブル２２の一方側及び他方側の両方に設けたテレスコピックカバー装置４０と、を備える。
【００５０】
テレスコピックカバー装置４０は、可動テーブル２２の一方側に一方側テレスコピックカバー４１を備え、可動テーブル２２の他方側に他方側テレスコピックカバー４２を備える。各テレスコピックカバー４１（４２）は、複数のカバー体４１Ａ，４１Ｂ（４２Ａ，４２Ｂ）を、内外に重なり合いつつ組み合わせて伸縮可能に構成している。一方側テレスコピックカバー４１の複数のカバー体４１Ａ，４１Ｂは、他方側端部に外カバー体４１Ａを備え、一方側端部に内カバー体４１Ｂを備えている。他方側テレスコピックカバー４２の複数のカバー体４２Ａ，４２Ｂは、他方側端部に内カバー体４２Ｂを備え、一方側端部に外カバー体４２Ａを備えている。
【００５１】
可動テーブル２２は支持ブロック４９を備えており、支持ブロック４９は一体的に回転する小径係合部４６ａ及び大径係合部４６ｂを有する段付きローラ４６を回転可能に支持する。工作機械１でのワーク加工時に可動テーブル２２が中間テーブル１１に対しＸ軸方向一方側や他方側に移動すると、可動テーブル２２に両端部を固定した第１ワイヤー部材４７に対して係合する小径係合部４６ａが回転する。小径係合部４６ａが回転すると、一体的に設けた大径係合部４６ｂが回転する。大径係合部４６ｂは、両端部を一方側の内カバー体４１Ｂ及び他方側の内カバー体４２Ｂに固定した第２ワイヤー部材４８に係合する。
【００５２】
可動テーブル２２の移動に伴う小径係合部４６ａの回転により大径係合部４６ｂが同じ向きに回転し、大径係合部４６ｂを介して内カバー体４１Ｂ及び他方側の内カバー体４２Ｂが同じ向きに移動する。段付きローラ４６の小径係合部４６ａでの第１の係合態様と、大径係合部４６ｂでの第２ワイヤー４８の係合態様とを異なる態様とすることで、段付きローラ４６の１回転あたり、小径係合部４６ａが第１ワイヤー部材４７に係合する係合距離よりも、大径係合部４６ｂが第２ワイヤー部材４８に係合する係合距離を大きくすることが可能である。可動テーブル２２が移動し、内カバー体４１Ａ及び内カバー体４２Ａが同じ向きに移動するとき、可動テーブル２２の移動量が内カバー体４１Ｂ及び内カバー体４２Ｂの移動量よりも大きくなり、可動テーブル２２に対し、内カバー体４１Ｂ及び内カバー体４２Ｂが相対移動する。
【００５３】
可動テーブル２２の一方側には一方側テレスコピックカバー４１の外カバー体４１Ａを固定している。例えば可動テーブル２２がＸ軸方向に沿った一方側に移動し内カバー体４１Ｂが当該一方側に移動するとき、内カバー体４１Ｂの一方側への移動量が可動テーブル２２及び外カバー体４１Ａの一方側への移動量よりも小さくなり、内カバー体４１Ｂが外カバー体４１Ａに対し相対的に他方側へと移動する。一方側テレスコピックカバー４１において、外カバー体４１Ａ及び内カバー体４１Ｂを含む複数のカバー体全体の直線方向に沿った寸法が小さくなる（複数のカバー体が全体として縮小する）。可動テーブル２２の他方側には他方側テレスコピックカバー４２の外カバー体４２Ａを固定しており、一方側テレスコピックカバー４１と他方側テレスコピックカバー４２とは連結部材４３で連結している。可動テーブル２２がＸ軸方向に沿った一方側に移動し外カバー体４２Ａが当該一方側に移動するとき、内カバー体４２Ｂの一方側への移動量がテーブル２２及び外カバー体４２Ａの一方側への移動量よりも小さくなり、内カバー体４２Ｂが外カバー体４２Ａに対し相対的に他方側へと移動する。他方側テレスコピックカバー４２において、外カバー体４２Ａ及び内カバー体４２Ｂを含む複数のカバー体全体のＸ軸方向に沿った寸法が大きくなる（複数のカバー体が全体として伸長する）。
【００５４】
例えば可動テーブル２２がＸ軸方向に沿った他方側に移動し外カバー体４１Ａが当該他方側に移動するとき、内カバー体４１Ｂの他方側への移動量が可動テーブル２２及び外カバー体４１Ａの他方側への移動量よりも小さくなり、内カバー体４１Ｂが外カバー体４１Ａに対し相対的に一方側へと移動する。一方側テレスコピックカバー４１において、外カバー体４１Ａ及び内カバー体４１Ｂを含む複数のカバー体全体のＸ軸方向に沿った寸法が大きくなる（複数のカバー体が全体として伸長する）。可動テーブル２２がＸ軸方向に沿った他方側に移動し外カバー体４２Ａが当該他方側に移動するとき、内カバー体４２Ｂの他方側への移動量が可動テーブル２２及び外カバー体４２Ａの他方側への移動量よりも小さくなり、内カバー体４２Ｂが外カバー体４２Ａに対し相対的に一方側へと移動する。他方側テレスコピックカバー４２において、外カバー体４２Ａ及び内カバー体４２Ｂを含む複数のカバー体全体のＸ軸方向に沿った寸法が小さくなる（複数のカバー体が全体として縮小する）。
【００５５】
本実施形態は、一体的に回転する小径係合部４６ａ及び大径係合部４６ｂの第１及び第２ワイヤー４８との係合を用いて、各テレスコピックカバー４１（４２）における複数のカバー体４１Ａ，４１Ｂ（４２Ａ，４２Ｂ）の全体寸法を縮小・伸長させる。これにより、１つのカバー体が移動し隣接する別のカバー体に接触することで当該別のカバー体を移動させる構造のように、接触時に騒音が発生したり接触により耐久性が低下することがない。
【００５６】
特に本実施形態では、テレスコピックカバー装置４０は、１つの共通ローラである段付きローラ４６が、小径係合部４６ａと大径係合部４６ｂとを備えている。１つの段付きローラ４６の小径係合部４６ａ及び大径係合部４６ｂと第１ワイヤー部材４７及び第２ワイヤー部材４８との係合を用いて、各テレスコピックカバー４１，４２における複数のカバー体の全体寸法を縮小・伸長させることができる。
なお、本発明のテレスコピックカバー装置４０は、以上の駆動機構に限られず、段付きローラ４６及び第１ワイヤー部材４７、第２ワイヤー部材４８の代わりに、可動テーブル２２に、例えば第１転動体としての小径歯車と第２転動体としての大径歯車を有し、小径歯車及び大径歯車が一体的に回転する段付き歯車を回転自在に設け、中間テーブル１１、可動テーブル２２にそれぞれ小径歯車、大径歯車に係合するラックを設けて、ラック・アンド・ピニオン機構等でテレスコピックカバー装置４０の駆動機構を構成してもよい。上記実施形態と同様な効果を得ることができる。また、テレスコピックカバー装置４０は、可動テーブル２２のＸ軸方向両側を覆うように設けたが、可動テーブル２２のＹ軸方向両側を覆うように設けることもできる。
【００５７】
また、各テレスコピックカバー４１（４２）のカバー体は、外カバー体４１Ａ（４２Ａ）及び内カバー体４１Ｂ（４２Ｂ）の２枚に限られず、３枚以上にしてもよい。同様な段付きローラ及びワイヤー部材等で構成した駆動機構を用いて、互いに相対移動させ伸縮することができる。
【００５８】
なお、本発明は、上記実施形態に限られるものではなく、その趣旨及び技術的思想を逸脱しない範囲内で種々の変形が可能である。
【符号の説明】
【００５９】
１                工作機械
２                台座ベース
３                機械本体部
６                Ｘ軸方向駆動機構
１１              中間テーブル（ベースフレーム）
１６              Ｘ軸方向ボールネジ軸
１７              Ｘ軸方向駆動モータ
２２              可動テーブル（テーブル）
４０              テレスコピックカバー装置
４１              一方側テレスコピックカバー
４１Ａ            外カバー体（第１カバー体）
４１Ｂ            内カバー体（第２カバー体）
４２              他方側テレスコピックカバー
４２Ａ            外カバー体（第３カバー体）
４２Ｂ            内カバー体（第４カバー体）
４３              連結部材
４６              段付きローラ（転動体、共通ローラ）
４６ａ            小径係合部（第１転動体）
４６ｂ            大径係合部（第２転動体）
４７              第１ワイヤー部材（第１被係合部材）
４８              第２ワイヤー部材（第２被係合部材）
４９              支持ブロック（転動体支持部）
【図１】
2013136105.tif 000003
【図２】
2013136105.tif 000004
【図３】
2013136105.tif 000005
【図４】
2013136105.tif 000006
【図５】
2013136105.tif 000007
【図６】
2013136105.tif 000008
【図７】
2013136105.tif 000009
【図８】
2013136105.tif 000010